(57)【要約】【課題】電池の正逆方向性を意識せずに収納することにより、製品使用上の利便性向上をはかる。【解決手段】電池の挿入方向に応じて一方のテーパ面（１０ａ又は１１ａ）が電池の凸部端子に当接する。そして電池を電池ボックスに嵌め込んでいく過程で、凸部端子がテーパ面に当接しながらスライド部２をスライドさせるものとなる。つまりスライド部２は、挿入された電池の凸部端子側にスライドされる。そしてスライド部２が凸部端子側にスライドされることで、スイッチ３の切換レバー３ａも、凸部端子側の位置に切り換えられることになる。これにより、電池挿入方向に応じて、負荷回路の正負極との接続状態が切り換えられる。【選択図】図１
2005063866.tif 000002
【特許請求の範囲】
【請求項１】
電池を収納するボックス部と、
上記ボックス部への電池の挿入方向に応じた方向にスライドするスライド部と、
挿入された電池の正極又は負極に接する第１，第２の電極端子部と、
上記スライド部のスライド位置に応じて、第１，第２の電極端子部と、負荷回路の正極側、負極側との接続状態を逆転させる切換部と、
を備えたことを特徴とする電池収納装置。
【請求項２】
上記スライド部は、上記ボックス部に挿入される電池の凸部端子に当接することでスライドされることを特徴とする請求項１に記載の電池収納装置。
【発明の詳細な説明】
【技術分野】
【０００１】
本発明は、電池を収納する電池収納装置に関するものである。
【背景技術】
【０００２】
乾電池、二次電池等から電源電圧を得て動作する各種電子機器、電気機器においては、機器内部に電池収納部が設けられる。
通常、電池収納部に対しては、電池の正負極性についての挿入方向が決められており、ユーザーは極性方向を注意して電池を挿入する。
これに対して、電池の収納時の極性方向がどちらであってもよいようにしたものが、例えば下記特許文献に示されている。
下記文献では、電池ボックス部において電池の収納方向が正逆いずれにであっても、半導体素子を用いた回路により、電池から負荷回路の正極端子、負極端子に対して正しい極性で電圧を印加することができるようにした技術が記載されている。
【特許文献１】特開平０７−８５８５０号
【発明の開示】
【発明が解決しようとする課題】
【０００３】
ところで、通常の、挿入する極性方向が決められた電池収納部を有する機器の設計においては、誤方向に電池が挿入されないようにするため、電池ボックス部や端子等の形状、或いは配置などを工夫している。
また、もし逆方向に挿入され、電気的に逆接続となると、機器が動作不能となったり、場合によっては故障に至ることもあるため、逆挿入を考慮した保護回路が設けられていた。そしてこのような保護回路は、回路規模的に負担となる。
一方、上記特許文献に記載されている電池収納装置では、当然ながら誤挿入に対する保護回路は不要であるが、挿入された電池の極性方向に対応して負荷回路に供給する電圧の極性を変換する内部回路が必要となる。換言すれば、この内部回路が必要であることは、保護回路を設けることと同程度の負担が生ずる。
【課題を解決するための手段】
【０００４】
そこで、本発明はこのようなことを鑑みてなされたものであり、電池の収納方向の正逆に関わらず、機械的に、負荷回路に対して所定の極性を提供できるようにし、回路的な負担を軽減することを目的とする。
【０００５】
本発明の電池収納装置は、電池を収納するボックス部と、上記ボックス部への電池の挿入方向に応じた方向にスライドするスライド部と、挿入された電池の正極又は負極に接する第１，第２の電極端子部と、上記スライド部のスライド位置に応じて、第１，第２の電極端子部と、負荷回路の正極側、負極側との接続状態を逆転させる切換部とを備える。
また上記スライド部は、上記ボックス部に挿入される電池の凸部端子に当接することでスライドされるようにする。
即ち電池の挿入方向に応じたスライド位置によって機械的に第１，第２の端子部と、負荷回路の正極側、負極側との接続状態を逆転させる。
【発明の効果】
【０００６】
本発明の電池収納装置によれば、ユーザーは電池を収納する際の正逆方向を意識せずに挿入できるため、製品使用の利便性向上が期待できる。
また、正負極性の変換のための内部回路や保護回路などの複雑な付加回路が不要となるため、回路規模の縮小に好適である。
【発明を実施するための最良の形態】
【０００７】
以下、本発明の実施の形態としての電池収納装置について説明する。
図１は、本例の電池収納装置の構造を概略的に示している。図１（ａ）は電池収納装置全体構造を示し、図１（ｂ）には電池収納装置の一部材であるスライド部を示している。
【０００８】
図１に示す本例の電池収納装置は、乾電池、又は二次電池から電源電圧を得る電子機器、又は電気機器内に設けられるもので、電池ボックス１、スライド部２、スイッチ３により構成されている。
【０００９】
電池ボックス１は、機器筐体内において固定される。或いは図示するような形状の電池ボックス１は電子機器筐体と一体成形されるものであってもよい。
スライド部２は、電池ボックス１内でスライド可能に取り付けられる。
スライド部２には、電池ボックス１から突出するスイッチ連結部２ａが形成されており、そのスイッチ連結部２ａの先端凹部に、スイッチ３の切換レバー３ａが間挿するように、スイッチ３が配置される。
スイッチ３は、例えば２回路のON-ONスイッチとして構成される。
また、図１（ｂ）に示すように、スライド部２には、上方に突出する突出部１０，１１が設けられ、この突出部１０，１１に電池の正負端子に接触する電極４，５が取り付けられている。電極４，５に対してはそれぞれ、導線６，７が接続される。この導線６，７はそれぞれスイッチ３における所定の端子に取り付けられる。
【００１０】
スイッチ３の切換回路例を図４に示す。スイッチ３は、２回路スイッチとして、端子ＴＬ１，ＴＲ１を選択的に端子ＴＣ１に接続する回路と、端子ＴＬ２，ＴＲ２を選択的に端子ＴＣ２に接続する回路が形成される。各回路は切換レバー３ａのスライドに応じて連動して接点が切り換えられる。
そして電極４は、端子ＴＬ２、ＴＲ１に接続され、電極５は端子ＴＲ２、ＴＬ１に接続される。
端子ＴＣ２は、図示しない負荷回路に対して電池からの＋電圧端子とされ、負荷回路の正極側に接続される。
端子ＴＣ１は、図示しない負荷回路に対して電池からの−電圧端子とされ、負荷回路の負極側に接続される。
【００１１】
また図１に示すように、スライド部２の突出部１０，１１の先端はテーパ面１０ａ，１１ａとされている。
電池ボックス１に電池が挿入される際には、このテーパ面１０ａ、１１ａのいずれか一方に電池の凸部端子（正極端子）が当接することになる。つまり電池の挿入方向に応じて一方のテーパ面（１０ａ又は１１ａ）が電池の凸部端子に当接する。そして電池を電池ボックスに嵌め込んでいく過程で、凸部端子がテーパ面に当接しながらスライド部２をスライドさせるものとなる。つまりスライド部２は、挿入された電池の凸部端子側にスライドされる。そしてスライド部２が凸部端子側にスライドされることで、スイッチ３の切換レバー３ａも、凸部端子側の位置に切り換えられることになる。
【００１２】
ここで図２により、電池８、電池ボックス１、及びスライド部２のサイズ関係を示しておく。図２（ａ）には電池８の大きさを、図２（ｂ）には電池ボックス１の大きさを、図２（ｃ）にはスライド部２の大きさを示している。
電池ボックス１、スライド部２及び電池８の長さの関係は、図２に示すように、電池８の凸部を除いた長さと電池ボックス１内部の長さが等しく、また、電池８の全長と、スライド部２の電極４，５間とが等しく形成されている。
そのため、電池８を電池ボックス１に挿入すると、電池８の方が、突出距離Ａだけ電池ボックス１より長く設定されているため、その挿入動作により、上記の通り、スライド部２を凸部端子側の方向にスライドさせるものとなる。そしてそのスライド動作により、スイッチ連結部２ａを経由して、スイッチ３の切換が行われる。
また、スライド部２の電極４，５が取り付けられている突起部１０，１１の先端は、上記したようにテーパ面１０ａ，１１ａとなっているため、電池挿入前のスライド部２のスライド位置に関わらず、どちらの極性方向においても電池を挿入することができ、しかも電池挿入に応じて自然にスライド部２がスライドされるため、ユーザーによる挿入作業が困難になることはない。
【００１３】
図３により、電池８を電池ボックス１に挿入した時のスライド部２の動作を説明する。
図３は、電池が正逆各方向に挿入された時のスイッチ３の切り換わりを示しており、図３（ａ）は電池凸部が左側とされて挿入された場合、また図３（ｂ）は電池凸部が右側とされた挿入された場合である。
図３（ａ）のように、電池８の凸部端子、つまり正極端子が図面上左側にくるように挿入されると、スライド部２は左側にスライドする。これによってスイッチ連結部２ａが左方向にスライドすると、連結されているスイッチ３の切換レバー３ａも、左側へとスライドし、スイッチが切り換わる。
この場合スイッチ３の内部回路は、図４に実線で示した状態となる。この状態において、電池の凸部端子（＋端子）と接触している電極４は、端子ＴＬ２，ＴＣ２を介して負荷回路の正極側に接続され、また電池の−端子と接触している電極５は、端子ＴＬ１，ＴＣ１を介して負荷回路の負極側に接続される。
【００１４】
また図３（ｂ）のように、電池８の凸部端子、つまり正極端子が図面上右側にくるように挿入されると、スライド部２は右側にスライドする。これによってスイッチ連結部２ａが右方向にスライドすると、連結されているスイッチ３の切換レバー３ａも、右側へとスライドし、スイッチが切り換わる。
この場合スイッチ３の内部回路は、図４に破線で示した状態となる。この状態において、電池の凸部端子（＋端子）と接触している電極５は、端子ＴＲ２，ＴＣ２を介して負荷回路の正極側に接続され、また電池の−端子と接触している電極４は、端子ＴＲ１，ＴＣ１を介して負荷回路の負極側に接続される。
つまり、正逆いずれの極性方向で電池が挿入されても、負荷回路に対しては、正極電圧、負極電圧が正しく供給される。また本例によれば、電池の収納動作自体を利用して機械的にスイッチ３の切換を行うものであり、半導体素子等を用いて負荷回路に対する電圧印加方向の変換回路を設けることは不要である。もちろん逆方向挿入に対する保護回路も不要である。これにより負荷回路への電源供給回路系を簡略化できる。
【００１５】
なお、実施の形態では電極４，５とスイッチ３の各端子を導線６，７で接続した構成例を挙げたが、もちろん基板上のプリントパターンなどで接続されるものでもよい。
また電池ボックス１、スライド部２の形状等は、各種多様に考えられる。スイッチ３の形状及び切換回路構成も、多様に考えられる。例えばスイッチ３は切換レバー３ａのスライドによって切換が行われるスイッチとしたが、例えば突出子の押圧／押圧解除の各状態で切換が行われる構造のものも採用できる。その場合、スライド部２の特定方向へのスライドによって突出子が押圧されるようスイッチを配置すればよい。
【図面の簡単な説明】
【００１６】
【図１】実施の形態の電池収納装置の構造を説明するための概略図である。
【図２】実施の形態において電池及び電池ボックスとの長さの比を示した図である。
【図３】実施の形態の電池ボックスに電池が挿入された時のスイッチの切り換わりを示した図である。
【図４】実施の形態のスイッチ内部を示した回路図である。
【符号の説明】
【００１７】
１  電池ボックス、２  スライド部、２ａ  スイッチ連結部、３  スイッチ、３ａ  切換レバー、４，５  電極、６，７  導線、８  電池、１０，１１  突起部、１０ａ，１１ａ  テーパ面
【図１】
2005063866.tif 000003
【図２】
2005063866.tif 000004
【図３】
2005063866.tif 000005
【図４】
2005063866.tif 000006